Podtech/llm-jp-corpus-v4-ja_patent huggingface dataset:
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
式（I）の化合物：
【化１】
2019519467.tif 000001
(I)；
ここで、
Z はテトラゾール又は CO2Q であり；
Q は H 又は保護基であり；
mは、1, 2, 3, 4 及び 5 からなる群から選択される整数であり；
Rは、独立して、H 又は -CH2-R1 であり；
R1は、置換アリール、置換ピリジン、及び非置換イソキノリンからなる群から選択され；
Lは、C1-C6アルキレン及び C3-C6 シクロアルキレン並びにアリーレンからなる群から選択されるリンカーであり；
Wは-NR2-(C=O)-, -NR2-(C=S)-, -(C=O)-NR2-, 及び-(C=S)-NR2- からなる群から選択され；ここで、L 及びW の各出現は同じであっても異なっていても良く；
R2は H 又はC1-C4 アルキルであり； 
nは、1, 2 及び 3 からなる群から選択される整数であり；
Ch は、金属又は放射性金属を含むことができるキレート剤である；
並びにその薬学的に許容される塩である。
【請求項２】
R1 が、以下：
【化２】
2019519467.tif 000002
ここで、X は独立して Br 又はI である、
からなる群から選択される、請求項１に記載の化合物。
【請求項３】
前記キレート剤が、以下：
【化３】
2019519467.tif 000003
からなる群から選択される、請求項１に記載の化合物。
【請求項４】
前記金属キレート剤が、以下：Y, Lu, Tc, Zr, In, Sm, Re, Cu, Pb, Ac, Bi, Al, Ga, Re, Ho 及びSc からなる群から選択される金属を含む、請求項１に記載の化合物。
【請求項５】
前記金属が放射性金属であり、以下：68Ga, 64Cu, 86Y, 90Y, 89Zr, 111In, 99mTc, 177Lu, 153Sm, 186Re, 188Re, 67Cu, 212Pb, 225Ac, 213Bi, 212Bi, 212Pb, 67Ga, 203Pb, 47Sc 及び 166Ho からなる群から選択される、請求項４に記載の化合物。
【請求項６】
式（I）の化合物が、以下：
【化４】
2019519467.tif 000004
【化５】
2019519467.tif 000005
【化６】
2019519467.tif 000006
【化７】
2019519467.tif 000007
【化８】
2019519467.tif 000008
【化９】
2019519467.tif 000009
【化１０】
2019519467.tif 000010
【化１１】
2019519467.tif 000011
【化１２】
2019519467.tif 000012
【化１３】
2019519467.tif 000013
【化１４】
2019519467.tif 000014
;
からなる群から選択される、請求項１に記載の化合物。
【請求項７】
1 つ以上の PSMA を発現する腫瘍又は細胞を、有効量の式（I）の化合物に接触させることを含む、1 つ以上の PSMA を発現する腫瘍又は細胞の治療をするための、式（I）の化合物：
ここで、前記式（I）の化合物が、以下：
【化１５】
2019519467.tif 000015
(I)
ここで、
Z はテトラゾール又は CO2Q であり；
Q は H 又は保護基であり；
mは、1, 2, 3, 4 及び 5 からなる群から選択される整数であり；
Rは、独立して、H 又は -CH2-R1 であり；
R1は、置換アリール、置換ピリジン、及び非置換イソキノリンからなる群から選択され；
Lは、C1-C6アルキレン及び C3-C6 シクロアルキレン並びにアリーレンからなる群から選択されるリンカーであり；
Wは-NR2-(C=O)-, -NR2-(C=S)-, -(C=O)-NR2-, 及び-(C=S)-NR2- からなる群から選択され；ここで、L 及びW の各出現は同じであっても異なっていても良く；
R2は H 又はC1-C4 アルキルであり；
nは、1, 2 及び 3 からなる群から選択される整数であり；
Ch は、放射線療法に適した放射性金属を含むキレート剤である；
並びにその薬学的に許容される塩、
を含む。
【請求項８】
R1 が、以下：
【化１６】
2019519467.tif 000016
ここで、 X は独立して Br 又は I である、
からなる群から選択される、請求項７に記載の化合物。
【請求項９】
前記キレート剤が、以下：
【化１７】
2019519467.tif 000017
からなる群から選択される、請求項７に記載の化合物。
【請求項１０】
前記放射性金属が、以下：90Y, 177Lu, 211At, 111In, 153Sm, 186Re, 188Re, 67Cu, 212Pb, 225Ac, 213Bi, 212Bi, 212Pb 及び 67Ga からなる群から選択される、請求項７に記載の化合物。
【請求項１１】
以下：
【化１８】
2019519467.tif 000018
【化１９】
2019519467.tif 000019
【化２０】
2019519467.tif 000020
【化２１】
2019519467.tif 000021
【化２２】
2019519467.tif 000022
【化２３】
2019519467.tif 000023
【化２４】
2019519467.tif 000024
【化２５】
2019519467.tif 000025
【化２６】
2019519467.tif 000026
【化２７】
2019519467.tif 000027
；
からなる群から選択される、請求項７に記載の化合物。
【請求項１２】
前記1つ以上のPSMA を発現する腫瘍又は細胞が、以下：前立腺腫瘍又は細胞、転移した前立腺腫瘍又は細胞、肺腫瘍又は細胞、腎腫瘍又は細胞、膠芽細胞腫、膵臓腫瘍又は細胞、膀胱腫瘍又は細胞、肉腫、メラノーマ、乳房腫瘍又は細胞、結腸腫瘍又は細胞、生殖細胞、褐色細胞腫、食道腫瘍又は細胞、胃腫瘍又は 細胞、及びそれらの組み合わせからなる群から選択される、請求項7に記載の化合物。
【請求項１３】
前記1 つ以上の PSMA を発現する腫瘍又は細胞が前立腺腫瘍又は細胞である、請求項７に記載の化合物。
【請求項１４】
前記1 つ以上の PSMA を発現する腫瘍又は細胞がin vitro、in vivo 又はex vivo にある、請求項７に記載の化合物。
【請求項１５】
前記1 つ以上の PSMA を発現する腫瘍又は細胞が被験体に存在する、請求項７に記載の化合物。
【請求項１６】
前記被験体がヒトである、請求項１５に記載の化合物。
【請求項１７】
前記腫瘍の増殖の阻害をもたらす、請求項７に記載の化合物。
【手続補正書】
【提出日】令和2年2月21日(2020.2.21)
【手続補正１】
【補正対象書類名】特許請求の範囲
【補正対象項目名】全文
【補正方法】変更
【補正の内容】
【特許請求の範囲】
【請求項１】
食料品用の保存容器（１００）であって、硬質のプラスチックから成る少なくとも１つの上へ開いた基体によって構成されており、前記基体は、少なくとも１つの周りを取り囲んでいる蓋受け縁（１２、２２）を有しており、かつ少なくとも２つの部分深皿（１０、２０）に分割されている保存容器（１００）において、
−  前記部分深皿（１０、２０）は、袖形蝶番（３０）を介して旋回可能に相互に結合されていること、
−  前記蓋受け縁（１２、２２）は、前記相互に結合された部分深皿（１０、２０）の共通の外周に沿って延びており、かつそれぞれ前記袖形蝶番（３０）の端面で中断されていること、および
−  各々の部分深皿（１０、２０）には、中断された前記蓋受け縁（１２、２２）の端部の間に、少なくとも１つのエラストマー性の封止性突起片（３１、３２）が形成されていること
を特徴とする保存容器（１００）。
【請求項２】
前記部分深皿（１０、２０）はその互いに面した側でそれぞれ、高さを下げた側壁の内側縁（１３、２３）を有していることを特徴とする請求項１に記載の保存容器（１００）。
【請求項３】
前記袖形蝶番（３０）はフィルムヒンジとして形成されており、前記フィルムヒンジは、前記部分深皿（１０、２０）と同じプラスチックから成っていることを特徴とする請求項１に記載の保存容器（１００）。
【請求項４】
前記袖形蝶番（３０）はエラストマー性の素材から構成されていることを特徴とする請求項１に記載の保存容器（１００）。
【請求項５】
前記エラストマー性の封止性突起片（３１、３２）は、前記袖形蝶番（３０）に付加成形されていることを特徴とする請求項４に記載の保存容器（１００）。
【請求項６】
前記袖形蝶番（３０）は、下の層および上の層から成っており、前記下の層はフィルムヒンジとして形成されており、前記フィルムヒンジは前記部分深皿（１０、２０）と同じプラスチックから成っており、かつ前記上の部分層は熱可塑性のエラストマーから構成されていることを特徴とする請求項３乃至５のいずれか一項に記載の保存容器（１００）。
【請求項７】
前記エラストマー性の封止性突起片（３１、３２）は、前記内側縁（１３、２３）に載っていることを特徴とする請求項２または６に記載の保存容器（１００）。
【請求項８】
前記袖形蝶番（３０）は屈曲線（３５）を有しており、前記屈曲線（３５）は、前記内側縁（１３、２３）の間の中心に配置された前記袖形蝶番（３０）の中心軸からは外れて走っていることを特徴とする請求項２、６、または７のいずれか一項に記載の保存容器（１００）。
【請求項９】
前記袖形蝶番（３０）の壁厚は、前記屈曲線（３５）に沿って減少していることを特徴とする請求項８に記載の保存容器（１００）。
【請求項１０】
前記基体は、大きな部分深皿と小さな部分深皿（１０、２０）に分割されており、かつ前記屈曲線（３５）は、前記小さな部分深皿（２０）の前記内側縁（２３）より前記大きな部分深皿（１０）の前記内側縁（１３）の近くを走っていることを特徴とする請求項８または９に記載の保存容器（１００）。
【請求項１１】
請求項１乃至１０のいずれか一項に記載の保存容器（１００）を備え、および両方の部分深皿（１０、２０）を覆う蓋（４０）を備えた保存容器セットであって、前記蓋（４０）はその下面に、少なくとも１つの無端で周りを取り囲んでいる封止面（４３）を有しており、前記封止面（４３）は前記蓋受け縁（１２，２２）に当接可能であり、かつ前記蓋（４０）は、少なくとも前記封止性突起片（３１、３２）の領域では平らな下面を有しており、前記平らな下面は前記封止面（４３）に移行する、保存容器セット。
【請求項１２】
前記部分深皿（１０、２０）の外周には少なくとも１つずつの係止突出部（１１、２１）が、関節式に前記蓋（４０）に接合されたスナップ側板（４１、４２）と噛み合うために形成されていることを特徴とする請求項１１に記載の保存容器セット。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
ヒマワリ種皮／ヒマワリ種殻に基づいて家庭で堆肥化可能なバイオ材料製品を製造する方法であって、
混合した材料（ＳＰＣ  ＰＢＳ、ＳＰＣ  ＰＢＳＡ）を提供又は製造することを含み、  前記材料が、ヒマワリ種皮材料／ヒマワリ種殻材料を生分解性プラスチック、すなわち、ポリブチレンスクシナート（ＰＢＳ）及びポリブチレンスクシナートアジパート（ＰＢＳＡ）の少なくとも１つと混合することによって取得されること
を特徴とする方法。
【請求項２】
生分解性でかつ家庭で堆肥化可能なパッケージ、コーヒーカプセル、紅茶カプセル、容器、植木鉢、壺、植物保護材（Verbissschutz）、カップ、花鉢、又はフィルムを製造するためのヒマワリ種皮バイオコンポジット（ＳＰＣ  ＰＢＳ）の使用であって、
バイオコンポジットが生分解性プラスチック、すなわちポリブチレンスクシナート（ＰＢＳ）及びポリブチレンスクシナートアジパート（ＰＢＳＡ）の少なくとも１つを含み、
生分解性プラスチックがヒマワリ種皮材料／ヒマワリ種殻材料と混合されていること、  を特徴とする使用。
【請求項３】
混合した材料が、容器、コーヒーカプセル、紅茶カプセル、パッケージ、植木鉢、花鉢、フィルム、及びカップの少なくとも１つを製造する射出成形プロセスにおいて加工処理されることを特徴とする請求項１に記載の方法。
【請求項４】
請求項１又は３に記載の方法によって製造される家庭で堆肥化可能な容器、パッケージ、又はフィルム。
【請求項５】
混合した材料から製造される家庭で堆肥化可能な射出成形製品であって、
前記材料が、ヒマワリ種皮材料／ヒマワリ種殻材料を生分解性プラスチック、すなわち ポリブチレンスクシナート（ＰＢＳ）及びポリブチレンスクシナートアジパート（ＰＢＳＡ）の少なくとも１つと混合することによって取得され、
混合物中のヒマワリ種皮材料／ヒマワリ種殻材料の割合が、少なくとも１０％であること、
を特徴とする射出成形製品。
【請求項６】
製造される製品が第１層及び第２層、及び該２つの層の間に配される中間層を有する複数層の複合体を用いて構築され、
第１層及び第２層が、ヒマワリ種皮−ＰＢＳ及び／又はＰＢＳＡ化合物材料を含み、
中間層が、＜５０ｃｍ３／ｍ２＊ｄ＊ｂａｒの酸素バリア活性を有する酸素バリア層として製造される、
ことを特徴とする請求項４に記載の家庭で堆肥化可能な容器、パッケージ、又はフィルム。
【手続補正書】
【提出日】令和2年6月25日(2020.6.25)
【手続補正１】
【補正対象書類名】特許請求の範囲
【補正対象項目名】全文
【補正方法】変更
【補正の内容】
【特許請求の範囲】
【請求項１】
３次元物体を造形する方法であって、
ａ）高粘度の重合性成分、仮の溶媒、及び重合開始剤を含むプリント可能な組成物を提供することと、
ｂ）前記プリント可能な組成物を選択的に硬化させて前記３次元物体の形状を表す物品を形成することと、
ｃ）前記物品から相当量の前記仮の溶媒を除去することと、及び
ｄ）任意に、ステップｃ）の前又は後に残存する未重合の重合性成分を硬化させることとを含み、前記高粘度の重合性成分が、前記仮の溶媒と混合する前に、２５℃で少なくとも２０，０００ｃＰの粘度を有する、方法。
【請求項２】
相当量の前記仮の溶媒を除去することは、前記仮の溶媒の少なくとも６０％、前記仮の溶媒の少なくとも９０％、又は前記仮の溶媒の９５％を除去することを含む、請求項１に記載の方法。
【請求項３】
相当量の前記仮の溶媒を除去することは、前記物品を２５℃より高く９０℃より低い温度で少なくとも１２時間加熱することを含む、請求項１に記載の方法。
【請求項４】
相当量の前記仮の溶媒を除去することは、前記物品を少なくとも１２時間水に浸漬し、前記物品を水から取り出し、前記物品を室温にて乾燥させることを含む、請求項１に記載の方法。
【請求項５】
付加製造に有用なプリント可能な組成物であって、
前記組成物の総重量に基づいて、（ａ）２５℃で少なくとも２０，０００ｃＰの粘度を有する４５〜９５重量％の重合性成分と、（ｂ）５〜５０重量％の仮の溶媒と、（ｃ）０．１〜５重量％の光重合開始剤と、（ｄ）０．００１〜１重量％の重合禁止剤と、及び任意で（ｅ）０．０１〜１重量％の吸収調整剤とを含む、プリント可能な組成物。
【請求項６】
前記仮の溶媒は、前記プリント可能な組成物の総重量に基づいて１０〜４０重量％、又は前記プリント可能な組成物の総重量に基づいて１５〜３０重量％を構成する、請求項２１に記載のプリント可能な組成物。
【請求項７】
前記仮の溶媒は、炭酸プロピレン、イソプロピルアルコール、メタノール、及びトリプロピレングリコールメチルエーテル、並びにこれらの組み合わせから成るグループから選択される、請求項５又は６に記載のプリント可能な組成物。
【請求項８】
前記重合性成分は前記仮の溶媒と混合する前に２５℃で少なくとも３０，０００ｃＰかつ３００，０００ｃＰ以下の粘度を有する、請求項５に記載のプリント可能な組成物。
【請求項９】
前記重合性成分はポリ（メタ）アクリレートを含む、請求項５に記載のプリント可能な組成物。
【請求項１０】
前記重合性成分は１つ以上の多官能性ウレタン（メタ）アクリレートを含む、請求項９に記載のプリント可能な組成物。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
六方晶窒化ホウ素を含み、少なくとも２  ＨＢＷ  ２．５／２のブリネル硬さを有し、最高で１００℃の温度で行われるプロセスによって得られ、前記ブリネル硬さが、ＤＩＮ  ＥＮ  ＩＳＯ  ６５０６−１（２０１３）に従って測定される、成形体。
【請求項２】
前記成形体が、
（ｉ）少なくとも３Ｎ／ｍｍ２の圧縮強度であって、前記圧縮強度が、前記成形体の試験試料の破断前最大力を、荷重がかけられる前記試験試料の面積で除算したものとして測定されたものである圧縮強度と、
（ｉｉ）前記成形体の理論密度の少なくとも５０％の相対密度と、
（ｉｉｉ）前記成形体の総体積に対して少なくとも７０体積％の窒化ホウ素含有量と
を有する、請求項１に記載の成形体。
【請求項３】
ＤＩＮ  ＥＮ  ＩＳＯ  ６５０６−１（２０１３）により測定して、少なくとも３  ＨＢＷ  ２．５／２、好ましくは少なくとも５  ＨＢＷ  ２．５／２のブリネル硬さを有する、請求項１又は２に記載の成形体。
【請求項４】
前記成形体が、水溶性ホウ素化合物を最大２０重量％の量で含み、前記水溶性ホウ素化合物の含有量が、前記成形体の総重量に基づいた重量％のホウ酸含有量として表され、前記水溶性ホウ素化合物が、ホウ酸及びホウ酸アンモニウムを含み、前記水溶性ホウ素化合物が、酸化ホウ素を含まない、請求項１〜３のいずれか一項に記載の成形体。
【請求項５】
六方晶窒化ホウ素を含み、少なくとも０．５ｇ／ｃｍ３の嵩密度、少なくとも１２ｍ２／ｇの比表面積（ＢＥＴ）及び洗浄工程後に少なくとも１５ｍ２／ｇの比表面積（ＢＥＴ）を有し、前記洗浄工程が、塩酸を用いて７０〜１００℃の温度で実施される、請求項１に記載の成形体を製造するための造粒粉末。
【請求項６】
請求項５に記載の造粒粉末の製造方法であって、
（ａ）六方晶窒化ホウ素粉末を含む粉末を準備する工程と、
（ｂ）工程（ａ）の前記粉末を機械的に前処理して、前処理粉末を得る工程と、
（ｃ）工程（ｂ）の前記前処理粉末を造粒して、前記造粒粉末を得る工程とを含み、
前記造粒粉末を製造する全ての工程が、最高で１００℃の温度で実施される、製造方法。
【請求項７】
請求項１に記載の成形体の製造方法であって、
（ａ）六方晶窒化ホウ素粉末を含む粉末を準備する工程と、
（ｂ）工程（ａ）の前記粉末を機械的に前処理して、前処理粉末を得る工程と、
（ｃ）任意に、工程（ｂ）の前記前処理粉末を造粒して、造粒粉末を得る工程と、
（ｄ）工程（ｂ）の前記前処理粉末又は工程（ｃ）の前記造粒粉末を形状に成形して、前記成形体を得る工程とを含み、
前記成形体を製造する全ての工程が、最高で１００℃の温度で実施される、製造方法。
【請求項８】
電気絶縁性部品のため、センサ及び加熱カートリッジのシーリング構成要素のため、並びに自動車構成要素のための、請求項１に記載の成形体の使用。
【手続補正書】
【提出日】令和2年4月23日(2020.4.23)
【手続補正１】
【補正対象書類名】特許請求の範囲
【補正対象項目名】全文
【補正方法】変更
【補正の内容】
【特許請求の範囲】
【請求項１】
ジペプチジルペプチダーゼ−４阻害剤又はその薬学的に許容される塩を含む、網膜神経変性疾患の眼局所治療及び／又は予防に使用するための医薬。
【請求項２】
網膜ジペプチジルペプチダーゼ−４の阻害による、請求項１に記載の医薬。
【請求項３】
前記ジペプチジルペプチダーゼ−４阻害剤が、シタグリプチン、サキサグリプチン、ビルダグリプチン、リナグリプチン、アナグリプチン、テネリグリプチン、アログリプチン、トレラグリプチン、ゲミグリプチン、オマリグリプチン、その薬学的に許容される塩及びこれらの混合物からなる群から選択される、請求項１又は２に記載の医薬。
【請求項４】
前記網膜神経変性疾患が、糖尿病性網膜症（ＤＲ）、加齢黄斑変性、緑内障、及び網膜色素変性症からなる群から選択される、請求項１〜３のいずれか１項に記載の医薬。
【請求項５】
前記網膜神経変性疾患が糖尿病性網膜症及び関連する微小血管障害である、請求項１〜４のいずれか１項に記載の医薬。
【請求項６】
前記糖尿病性網膜症の初期段階の眼局所治療に使用される、請求項５に記載の医薬。
【請求項７】
有効量のジペプチジルペプチダーゼ−４阻害剤又はその薬学的若しくは獣医学的に許容される塩及びこれらの混合物を、局所的な薬学的又は獣医学的に許容される賦形剤及び／又は担体と共に含む、網膜神経変性疾患の眼局所治療及び／又は予防のための局所用医薬組成物又は獣医学的眼局所用組成物。
【請求項８】
有効量の哺乳動物グルカゴン様ペプチド−１、リラグルチド、エキセナチド、リキシセナチド、又はその薬学的若しくは獣医学的に許容される塩及びこれらの混合物からなる群から選択される化合物を更に含む、請求項７に記載の局所用医薬組成物又は獣医学的眼局所用組成物。
【請求項９】
前記哺乳動物グルカゴン様ペプチド−１が、ヒトグルカゴン様ペプチド−１（７−３７）（ＵｎｉＰｒｏｔ：Ｐ０１２７５）又はその薬学的若しくは獣医学的に許容される塩である、請求項８に記載の医薬組成物又は獣医学的眼局所用組成物。
【請求項１０】
溶液、クリーム、ローション、軟膏、乳剤、及び懸濁剤からなる群から選択される、請求項７〜９のいずれか１項に記載の局所用医薬組成物又は獣医学的局所用組成物。
【請求項１１】
点眼液である、請求項７〜１０のいずれか１項に記載の局所用医薬組成物又は獣医学的局所用組成物。
【請求項１２】
前記網膜神経変性疾患が、糖尿病性網膜症、加齢黄斑変性、緑内障、及び網膜色素変性症からなる群から選択される、請求項７〜１１のいずれか１項に記載の局所用医薬組成物又は獣医学的局所用組成物。
【請求項１３】
徐放性組成物である、請求項７〜１２のいずれか１項に記載の局所用医薬組成物又は獣医学的眼局所用組成物。
【請求項１４】
前記糖尿病性網膜症の初期段階の眼局所治療及び／又は予防に使用される、請求項７〜１３のいずれか１項に記載の局所用医薬組成物又は獣医学的眼局所用組成物。
【請求項１５】
ジペプチジルペプチダーゼ−４阻害剤又はその薬学的もしくは獣医学的に許容される塩を、局所的な薬学的または獣医学的に許容される賦形剤及び／又は担体と共に含む医薬又は獣医学的眼局所用組成物であって、２０℃、ｐＨ４．５〜９．０で５．０×１０−４Ｐａ．ｓ〜３００Ｐａ．ｓの動粘度を有し、前記ジペプチジルペプチダーゼ−４阻害剤が組成物の最終体積に対して５ｍｇ／ｍｌ〜２００ｍｇ／ｍｌの濃度である、組成物。
【請求項１６】
前記ジペプチジルペプチダーゼ−４阻害剤が、組成物の最終体積に対して２０ｍｇ／ｍｌ〜２００ｍｇ／ｍｌの濃度である、請求項１５に記載の医薬又は獣医学的眼局所用組成物。
【手続補正書】
【提出日】令和2年4月29日(2020.4.29)
【手続補正１】
【補正対象書類名】特許請求の範囲
【補正対象項目名】全文
【補正方法】変更
【補正の内容】
【特許請求の範囲】
【請求項１】
医薬組成物であって：
ポリマーマトリクス；
該ポリマーマトリクス中のエピネフリンを含む医薬活性成分；及び
アドレナリン受容体相互作用物質：
を含有する、前記医薬組成物。
【請求項２】
前記組成物が、ポリマーマトリクス、該ポリマーマトリクスに含まれる医薬活性成分を更に含有するフィルムである、請求項1記載の医薬組成物。
【請求項３】
好ましくはファルネソール、ラブラゾル、又はリノール酸を含む、透過エンハンサーを更に含む、請求項1記載の医薬組成物。
【請求項４】
前記透過エンハンサーが、フェニルプロパノイドを含む、請求項3記載の医薬組成物。
【請求項５】
前記医薬組成物が、ポリマーマトリクス、該ポリマーマトリクス中に含まれる医薬活性成分を更に含有するフィルムである、請求項1記載の医薬組成物。
【請求項６】
前記医薬組成物が、チュアブルもしくはゼラチンベースの剤形、スプレー、ガム、ゲル、クリーム、錠剤、液剤又はフィルムである、請求項1記載の医薬組成物。
【請求項７】
前記フェニルプロパノイドが、オイゲノール、酢酸オイゲノール、ケイヒ酸、ケイヒ酸エステル、ケイヒアルデヒド、ヒドロケイヒ酸、カビコール、及びサフロールから選択される、請求項4記載の医薬組成物。
【請求項８】
前記アドレナリン受容体相互作用物質が、好ましくはクローブ植物の精油抽出物、クローブ植物の葉の精油抽出物、クローブ植物の花芽の精油抽出物、又はクローブ植物の茎の精油抽出物を更に含む、植物抽出物である、請求項1記載の医薬組成物。
【請求項９】
前記植物抽出物が、合成品若しくは生合成品であるか、又は前記植物抽出物が40〜95％のオイゲノールを更に含むか、又は前記植物抽出物が80〜95％のオイゲノールを更に含む、請求項8記載の医薬組成物。
【請求項１０】
前記アドレナリン受容体相互作用物質が、テルペノイド、テルペン、又はセスキテルペンを含む、請求項1記載の医薬組成物。
【請求項１１】
前記ポリマーマトリクスが、水溶性ポリマー、樹状ポリマー、又は高分岐ポリマーを含む、請求項1記載の医薬組成物。
【請求項１２】
前記ポリマーマトリクスがポリマーを含み、
(a) 該ポリマーがポリエチレンオキシドを含み；又は
(b) 該ポリマーがヒドロキシプロピルメチルセルロース、ヒドロキシエチルセルロース、ヒドロキシエチルメチルセルロース、ヒドロキシプロピルセルロース、メチルセルロース及びカルボキシメチルセルロースの群から選択されるセルロース系ポリマーを含み；又は
(c) 該ポリマーマトリクスがヒドロキシプロピルメチルセルロースを含有し；又は
(d) 該ポリマーマトリクスがセルロース系ポリマー、ポリエチレンオキシド及びポリビニルピロリドン、ポリエチレンオキシド及び多糖、ポリエチレンオキシド、ヒドロキシプロピルメチルセルロース及び多糖、又はポリエチレンオキシド、ヒドロキシプロピルメチルセルロース、多糖及びポリビニルピロリドンを含有し；又は
(e) 該ポリマーマトリクスがプルラン、ポリビニルピロリドン、ポリビニルアルコール、アルギン酸ナトリウム、ポリエチレングリコール、キサンタンガム、トラガカントガム、グアーガム、アカシアゴム、アラビアゴム、ポリアクリル酸、メチルメタクリレートコポリマー、カルボキシビニルコポリマー、デンプン、ゼラチン、エチレンオキシド-プロピレンオキシドコポリマー、コラーゲン、アルブミン、ポリアミノ酸、ポリホスファゼン、多糖、キチン、キトサン、及びそれらの誘導体の群から選択される少なくとも1種のポリマーを含有する、請求項1記載の医薬組成物。
【請求項１３】
更に安定剤を含有する、請求項1記載の医薬組成物。
【請求項１４】
医薬組成物の製造方法であって：
アドレナリン受容体相互作用物質を、エピネフリンを含む医薬活性成分と配合する工程；及び
該アドレナリン受容体相互作用物質及び該医薬活性成分を含む医薬組成物を形成する工程：を含む、前記方法。
【請求項１５】
装置であって；
ポリマーマトリクス；
該ポリマーマトリクス中のエピネフリンを含む医薬活性成分；及び
フェニルプロパノイド及び／又は植物抽出物：
を含有するある量の医薬組成物を保持するハウジング；並びに
予め決定された量の該医薬組成物を分配する開口部：を備える、前記装置。
【手続補正書】
【提出日】令和2年3月16日(2020.3.16)
【手続補正１】
【補正対象書類名】特許請求の範囲
【補正対象項目名】全文
【補正方法】変更
【補正の内容】
【特許請求の範囲】
【請求項１】
メモリアレイにおいてメモリ動作を実行する方法であって、
真センスアンプ入力および補センスアンプ入力を生成するために、前記メモリアレイのデータ行に記憶された第1のデータビットの真バージョンおよび補バージョンの任意の増幅の前に、第1の検索ビットの真バージョンおよび補バージョンを前記第1のデータビットの前記真バージョンおよび前記補バージョンと比較するステップと、
第1のシングルエンド一致信号を生成するために、前記真センスアンプ入力および前記補センスアンプ入力をセンスアンプにおいて増幅するステップと
を含む、方法。
【請求項２】
前記データ行に関するヒットまたはミス表示を生成するために、2つ以上の検索ビットと前記データ行内の2つ以上のデータビットとの比較による2つ以上の他のシングルエンド一致信号と前記第1のシングルエンド一致信号をアグリゲートするステップをさらに含む、請求項1に記載の方法。
【請求項３】
静的論理ゲートにおいて前記アグリゲートするステップを実行するステップを含む、請求項2に記載の方法。
【請求項４】
前記第1のシングルエンド一致信号および前記2つ以上の他のシングルエンド一致信号を複数のシングルレベルプルダウントランジスタに結合し、前記複数のシングルレベルプルダウントランジスタの出力から動的ヒット信号を生成し、かつ前記動的ヒット信号をアグリゲートすることによって、前記アグリゲートするステップを実行するステップを含む、請求項2に記載の方法。
【請求項５】
真値を有する前記第1の検索ビットおよび前記第1のデータビットの論理値のXOR関数を使用して前記比較するステップを実行するステップを含む、請求項1に記載の方法。
【請求項６】
真センスアンプ入力および補センスアンプ入力を生成するために、メモリアレイのデータ行に記憶された第1のデータビットの真バージョンおよび補バージョンの任意の増幅の前に、第1の検索ビットの真バージョンおよび補バージョンを前記第1のデータビットの前記真バージョンおよび前記補バージョンと比較するように構成される論理手段と、
第1のシングルエンド一致信号を生成するために、前記真センスアンプ入力および前記補センスアンプ入力を増幅するように構成されるセンスアンプと
を備える、装置。
【請求項７】
前記データ行に関するヒットまたはミス表示を生成するために、2つ以上の検索ビットと前記データ行内の2つ以上のデータビットとの比較による2つ以上の他のシングルエンド一致信号と前記第1のシングルエンド一致信号をアグリゲートするように構成されるアグリゲーション論理手段をさらに備える、請求項6に記載の装置。
【請求項８】
前記アグリゲーション論理手段は静的論理ゲートを備える、請求項7に記載の装置。
【請求項９】
前記第1のシングルエンド一致信号および前記2つ以上のシングルエンド一致信号に結合され、かつ動的ヒット信号を生成するように構成される複数のシングルレベルプルダウントランジスタを備え、前記アグリゲーション論理手段は、前記複数のシングルレベルプルダウントランジスタの出力をアグリゲートするように構成される、請求項7に記載の装置。
【請求項１０】
前記論理手段は、真値を有する前記第1の検索ビットおよび前記第1のデータビットの論理値のXOR関数を実行するように構成されるXOR論理手段を備える、請求項6に記載の装置。
【請求項１１】
セットトップボックス、音楽プレーヤ、ビデオプレーヤ、エンターテインメントユニット、ナビゲーションデバイス、携帯情報端末(PDA)、固定ロケーションデータユニット、コンピュータ、ラップトップ、タブレット、通信デバイス、サーバ、およびモバイルフォンからなるグループから選択されたデバイスに統合される、請求項6に記載の装置。
【請求項１２】
請求項1から5のいずれか一項に記載の方法を実行するための手段を備える、装置。
【手続補正書】
【提出日】令和2年3月19日(2020.3.19)
【手続補正１】
【補正対象書類名】特許請求の範囲
【補正対象項目名】全文
【補正方法】変更
【補正の内容】
【特許請求の範囲】
【請求項１】
基板上に構造体を形成するための方法であって、
湿潤領域を画定するように、電気的に分極可能なナノ粒子を含む流体を基板上に堆積させるステップと、
複数の前記ナノ粒子が組み立てられて、第１の電極から第２の電極に向かって延在する細長い構造体を形成するように、前記第１の電極および前記第２の電極を用いて、前記領域上の前記流体に交番電界を印加するステップと、
前記細長い構造体が前記基板上に残るように前記流体を除去するステップと、
を含み、
前記交番電界を印加する前記ステップの間に、前記細長い構造体を前記第２の電極に向かってさらに延長させるために、前記第２の電極を前記第１の電極から離れるように移動させることによって前記第１の電極と前記第２の電極との間の分離を増加させるステップをさらに含む方法。
【請求項２】
前記組み立てられた細長い構造体の長さが増加する速度と、前記第１の電極と前記第２の電極との間の前記分離が増加する速度との間の関係は、前記構造体の端部と電極との間の分離によって、前記電極および前記構造体の前記端部の近位の前記流体の領域内の前記電界が、その領域内の可動ナノ粒子を前記構造体の前記端部に組み立てるようにする、請求項１に記載の方法。
【請求項３】
前記細長い構造体の前記長さが増加する前記速度を監視するステップと、
前記細長い構造体の前記長さが所定の速度で増加するように、前記監視された速度に従って前記交番電界の特性を調整するステップと、をさらに含む、請求項１または２に記載の方法。
【請求項４】
前記電極の少なくとも一方が、尖った端部を含む細長い形状を有し、前記流体に交番電界を印加するステップが、前記電極の各々の前記尖った端部を前記流体に接触させるステップを含む、請求項１乃至３のいずれか一項に記載の方法。
【請求項５】
前記電界が、前記複数のナノ粒子に誘電泳動力が働くように印加され、前記電界によって、前記流体中の可動ナノ粒子が前記誘電泳動力を介して前記組み立てられた構造体に引き付けられる、請求項１乃至４のいずれか一項に記載の方法。
【請求項６】
前記電界がＤＣバイアスを有し、前記ＤＣバイアスが、前記構造体の第１の端部が、前記流体内の可動ナノ粒子が前記第１の電極に付着することによって形成されるようなものである、請求項１乃至５のいずれか一項に記載の方法。
【請求項７】
前記第１の電極または前記第２の電極が導管を含み、前記流体が前記導管を介して前記基板上に堆積される、請求項１乃至６のいずれか一項に記載の方法。
【請求項８】
前記第１および第２の電極が、電流が１〜１０，０００μＡの範囲のＡＣ振幅および０．１〜１，０００μＡの範囲のＤＣバイアスを有するように、前記電極間の交流電流を制御するように構成されたコントローラに接続される、請求項１乃至７のいずれか一項に記載の方法。
【請求項９】
前記ポテンショメータが、前記ＡＣ振幅が１０〜１０００μＡの範囲になり、前記ＤＣバイアスが１〜１００μＡの範囲になるように前記交流電流を制御するように構成されている、請求項８に記載の方法。
【請求項１０】
前記基板上の前記湿潤領域の前記形状に対応する所定の経路に沿って前記第２の電極を移動させて、それにより、前記構造体が前記所定の経路に沿って第１の端部位置から第２の端部位置まで前記領域内に延在するように前記構造体を組み立てるステップを含む、請求項１乃至９のいずれか一項に記載の方法。
【請求項１１】
前記電界を印加する前記ステップが、第２の構造体を形成するように、前記基板上の第２の湿潤領域に堆積された流体に対して繰り返され、前記第２の構造体が、前記第２の領域内の第１の端部位置から前記第２の領域内の第２の端部位置まで延在し、前記第２の領域の前記第１または第２の端部位置のいずれかは、前記第１の領域上に形成された前記構造体と一致する、請求項１乃至１０のいずれか一項に記載の方法。
【請求項１２】
前記方法が、焼結プロセスをさらに含み、前記焼結プロセスが、前記組み立てられた構造体の硬度を増加させるように、集められたナノ粒子を合体させる、請求項１乃至１１のいずれか一項に記載の方法。
【請求項１３】
請求項１に記載の方法により製造された細長い構造体をその上に有する基板を含むアセンブリであって、前記細長い構造体が、サブミクロンの線幅と、数センチメートルのオーダーの線長を有する、アセンブリ。
【請求項１４】
基板上に構造体を形成するための装置であって、
電気的に分極可能なナノ粒子を含む流体を基板上に堆積させるためのプリントヘッドと、
前記プリントヘッドによって堆積された流体によって画定された湿潤領域に交番電界を印加するための第１の電極および第２の電極であって、当該第１の電極および第２の電極のそれぞれが前記流体と接触しており、当該第２の電極が当該第１の電極に対して移動可能である、第１の電極および第２の電極と、
前記基板から堆積された流体を除去するための流体除去装置と、
を含む装置。
【請求項１５】
前記第１の電極と前記第２の電極との間に交番電界を印加するために、前記第１の電極および前記第２の電極への交番電気信号を制御するように構成された信号コントローラをさらに含む、請求項１４に記載の装置。
【手続補正書】
【提出日】令和2年6月9日(2020.6.9)
【手続補正１】
【補正対象書類名】特許請求の範囲
【補正対象項目名】全文
【補正方法】変更
【補正の内容】
【特許請求の範囲】
【請求項１】
手術訓練システムであって、
基部と、
前記基部に接続され内部キャビティを定めるように前記基部から離間し開口部を含むトップカバーと、
前記開口部の位置において前記トップカバーに接続されたフレームと、
前記フレームに連結され前記開口部の少なくとも一部にかかる模擬腹壁と、を備え、
前記模擬腹壁は一体的なドーム体を形成する複数のドーム状層を備え、前記一体的なドーム体は凸面と前記内部キャビティに面する凹面とを有している、
ことを特徴とする手術訓練システム。
【請求項２】
前記フレームは、前記模擬腹壁が間に配置され一緒に接合された２つの部品を含み、前記２つの部品は頂部フレームと底部フレームとを備えている、
請求項１に記載の手術訓練システム。
【請求項３】
前記フレームは、前記頂部フレームおよび底部フレームのどちらか一方または両方のフレームの回りに離間し、前記模擬腹壁を前記フレームに固定するように構成された突出部を含む、
請求項２に記載の手術訓練システム。
【請求項４】
前記フレームは、前記頂部フレームと底部フレームとの間に形成された傾斜溝を含み、該傾斜溝は、前記模擬腹壁の外周を収容し前記模擬腹壁を包囲するようなサイズ及び構成である、
請求項２または３に記載の手術訓練システム。
【請求項５】
前記傾斜溝は、垂直軸から前記模擬腹壁の中心に向かって傾斜し、前記一体的なドーム体の凸面の外形に沿う、
請求項４に記載の手術訓練システム。
【請求項６】
前記フレームは、形状が多角形であり、前記一体的なドーム体が半球形である、
請求項１乃至５の何れか１項に記載の手術訓練システム。
【請求項７】
前記模擬腹壁は、外科用套管針によって穿通可能であり、前記複数のドーム状層から隣接した２つ層の間に配置されたインサートを備えている、
請求項１乃至６のいずれか１項に記載の手術訓練システム。
【請求項８】
前記複数のドーム状層が内側に入れ子状である、
請求項１乃至７のいずれか１項に記載の手術訓練システム。
【請求項９】
前記一体的なドーム体が、前記複数のドーム状層の隣接する内面と外面を、接着剤を用いて接合することによって形成されている、
請求項１ないし８のいずれか１項に記載の手術訓練システム。
【請求項１０】
前記一体的なドーム体の凸面が、２つの軸を中心とした湾曲を有し、この湾曲が、前記複数のドーム状層が連続的に一緒に接着されるとき、屈曲積層機構を使用して形成される、
請求項１ないし９のいずれか１項に記載の手術訓練システム。
【請求項１１】
前記複数のドーム状層が、ドーム状の投影の複数の平らな切り抜きの縁を一緒に接合することによって組み立てられたドーム状の複数の投影の平らな切り抜きから形成されている、
請求項１ないし１０のいずれか１項に記載の手術訓練システム。
【請求項１２】
前記ドーム状の投影の複数の平らな切り抜きが、少なくとも１または２以上の異なるドーム状の投影であり、前記ドーム状の投影の複数の平らな切り抜きが、発泡体から作られている、
請求項１１に記載の手術訓練システム。
【請求項１３】
前記一体的なドーム体の凸面が皮膚ドーム状層に対応し、該皮膚ドーム状層が平らな皮膚層から形成され、前記平らな皮膚層が、発泡体の平らな層の上で発泡体にシリコーンを付着させるように硬化させられた非硬化シリコーンの複数の平らな層を備え、
前記平らな皮膚層が、真空プレナムまたはモールド内で熱にさらされることにより変形させられる、
請求項１ないし１２のいずれか１項に記載の手術訓練システム。
【請求項１４】
皮膚ドーム状層が発泡体から作られた内面と硬化したシリコーンから作られた外面とを備え、前記皮膚ドーム状層の内面が、前記複数のドーム状層の最上層の外面に接着剤で接着されている、
請求項１３に記載の手術訓練システム。
【請求項１５】
模擬腹壁の形成方法であって、
ドーム状のキャビティを有するモールドを準備するステップと、
ドーム状の投影の複数の平らな切り抜きを準備するステップと、
各切り抜きを、継ぎ目を有するドームの形に組み立てるステップと、
前記キャビティの内部で、各切り抜きを連続して互いに内側に入れ子状にするステップと、
隣接する切り抜き同士を接着するステップと、を含む、
ことを特徴とする方法。
【請求項１６】
前記平らな切り抜きは、２又は３以上の異なるドーム状の投影の切り抜きである、
請求項１５に記載の方法。
【請求項１７】
少なくとも２つの隣接する切り抜きが同じドーム状の投影を有し、前記各切り抜きを組み立てるステップは、前記切り抜きの縁を接合するステップと、少なくとも２つの隣接する切り抜きの前記継ぎ目をオフセットさせるステップとを含む、
請求項１５または１６に記載の方法。
【請求項１８】
前記入れ子状にするステップを行った後に、隣接する切り抜きの継ぎ目をオフセットするステップを備えている、
請求項１５または１６に記載の方法。
【請求項１９】
隣接する２つの切り抜き間に挿入体を提供するステップをさらに含む、
請求項１５または１６に記載の方法。
【請求項２０】
切り抜きを含む複数のドーム状を有する一体的なドーム体を形成するステップをさらに含み、前記一体的なドーム体が凸面と凹面とを有している、
請求項１５または１６に記載の方法。
【請求項２１】
発泡体層に接着されたシリコーン層を含む皮膚層を形成するステップと、
前記一体的なドーム体の凸面に、前記シリコーン層が最外の凸面になるように前記皮膚層をつけるステップと、をさらに含む、
請求項２０に記載の方法。
【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
複数の可能なアイソレーション構成の１つに従って回路アイソレーションを提供するためのアイソレータデバイスであって、前記アイソレータデバイスの前記アイソレーション構成の選択的な変更のための構成可能な機能性を提供するように配置され、ユニバーサルである前記アイソレータデバイスと、
該アイソレータデバイスと通信する無線送受信機であって、前記アイソレータデバイスの選択的な前記アイソレーション構成のための無線構成データを受信するように構成され、選択的な前記アイソレーション構成のための無線質問データを伝送するように構成され、かつ、前記アイソレータデバイスの状態及び診断情報に関連するデータを伝送するように構成される前記無線送受信機とを備える、機能的電子デバイス。
【請求項２】
前記無線送受信機が、前記デバイスが電力供給された状態にない間に無線構成データを受信するように構成されている、請求項１に記載の機能的電子デバイス。
【請求項３】
不揮発性メモリ機能性を含む、請求項１に記載の機能的電子デバイス。
【請求項４】
前記無線送受信機が、ＲＦＩＤデバイスを備える、請求項１に記載の機能的電子デバイス。
【請求項５】
前記無線送受信機が、近距離場通信機能性を用いる、請求項１に記載の機能的電子デバイス。
【請求項６】
前記アイソレータデバイスが、バリア機能性を提供するように構成される、請求項１に記載の機能的電子デバイス。
【請求項７】
機能的電子デバイスが、本質的に安全な環境内で動作するデバイスのための安全機能性を提供するように構成されている、１つ以上のデバイスに組合される、請求項１に記載の機能的電子デバイス。
【手続補正書】
【提出日】令和2年4月20日(2020.4.20)
【手続補正１】
【補正対象書類名】特許請求の範囲
【補正対象項目名】全文
【補正方法】変更
【補正の内容】
【特許請求の範囲】
【請求項１】
検査対象の眼の中の虹彩を分析するシステムであって、
プロセッシングシステムを含む光コヒーレンストモグラフィシステムと、
従来カメラと
を有し、
前記従来カメラが、変化する光レベルに対する前記虹彩の瞳孔の動的挙動をモニタし、
前記光コヒーレンストモグラフィシステムが、検査対象の前記虹彩の予め選択された表面下要素の、変化する光レベルに対する動的挙動をモニタし、
前記プロセッシングシステムが、前記従来カメラのデータと前記表面下要素のデータとの対応関係を決定するように、前記瞳孔及び前記表面下要素の動的挙動を分析し、それにより、検査対象の前記虹彩の真偽を判定する、
システム。
【請求項２】
関心ある前記表面下要素は、前記虹彩の前記瞳孔の括約筋であり、前記眼の上への光照射の増加の結果としての前記括約筋の収縮の検証によって真偽が判定される、請求項１に記載のシステム。
【請求項３】
前記光コヒーレンストモグラフィシステムは、コンタクトレンズの背面と角膜の前面との間の表面下界面についてモニタして、前記コンタクトレンズの前面が存在するかを検出することによって、外付け模造虹彩の存在を検出する、請求項１に記載のシステム。
【請求項４】
前記光コヒーレンストモグラフィシステムは、前記虹彩の３次元構造をモニタし、その構造を従来２次元虹彩画像と相関付けることによって虹彩インプラントを検出する、請求項１に記載のシステム。
【請求項５】
前記光コヒーレンストモグラフィシステムは、前記虹彩内の血液の存在を検出する、又は
前記光コヒーレンストモグラフィシステムは、前記虹彩内の血流を検出する、又は
前記光コヒーレンストモグラフィシステムは、前記虹彩内の血流量を検出し、該血流量を脈拍数と相関付ける、
請求項１に記載のシステム。
【請求項６】
前記光コヒーレンストモグラフィシステムは、血流の変化を検出し、刺激に対する応答と相関付ける、請求項１に記載のシステム。
【請求項７】
虹彩の真偽を分析する方法であって、
前記虹彩の３次元構造を撮像するステップと、
薄い後面上皮の存在を検証するステップと、
典型的な層状構造に形状が一致することを検証するステップと、
を有する方法。
【請求項８】
虹彩の真偽を分析する方法であって、
前記虹彩の３次元構造を撮像するステップと、
瞳孔によって位置付けられる括約筋の存在を検出するステップと、
光強度が変化されるときの前記括約筋の形状の変化を検出するステップと、
光強度が変化されるときの選択された虹彩構造の形状の変化を検出するステップと、
光強度が変化されるときの前記括約筋の形状の前記変化を、光強度が変化されるときの前記選択された虹彩構造の形状の前記変化と相関付けるステップと、
を有する方法。
【請求項９】
被検体のアイデンティティインジケータの真偽を判定する方法であって、
少なくとも２つの生物学的指標を選択するステップと、
少なくとも１つの予め選択された動的に変化する刺激に被検体をさらすステップと、
前記少なくとも２つの生物学的指標をモニタするステップと、
動的に変化する刺激中に取得されたデータを処理するステップと、
生物学的指標が真正性基準を満たすかを判定するステップと
を有し、
前記少なくとも２つの生物学的指標をモニタするステップは、少なくとも１つの選択された生物学的指標を、光コヒーレンストモグラフィを用いてモニタすることを含む、
方法。
【請求項１０】
前記少なくとも２つの生物学的指標を選択するステップは更に、２次元指標を選択するサブステップと、３次元指標を選択するサブステップとを含む、請求項９に記載の方法。
【請求項１１】
前記２次元指標を選択するサブステップは、指紋、虹彩、顔面フィーチャ又は血管フィーチャのうちの１つの従来画像を選択することを含む、請求項１０に記載の方法。
【請求項１２】
前記少なくとも２つの生物学的指標を選択するステップは更に、第１の３次元指標と第２の３次元指標とを選択するサブステップを含む、請求項９に記載の方法。
【請求項１３】
前記第１及び第２の３次元指標は、指紋構造、虹彩構造、顔面構造、血管構造のうちの何れかに関連する指標から選択される、請求項１２に記載の方法。
【手続補正書】
【提出日】令和2年4月24日(2020.4.24)
【手続補正１】
【補正対象書類名】特許請求の範囲
【補正対象項目名】全文
【補正方法】変更
【補正の内容】
【特許請求の範囲】
【請求項１】
無線周波数（ＲＦ）遷移アセンブリであって、電子デバイスのＲＦ伝送層と、前記ＲＦ伝送層に対して概して直角に延在しており、前記ＲＦ伝送層に電気的に接続されている導体との間のＲＦ遷移を可能にするＲＦ遷移アセンブリにおいて、前記ＲＦ遷移アセンブリは、
前記ＲＦ伝送層の縁部に隣接して置かれ、且つ前記導体を受け入れるためにそれを通して延在している空洞を含む開放同軸構造であって、
前記開放同軸構造の前記空洞は、電磁放射を前記ＲＦ伝送層に向けるために前記ＲＦ伝送層の前記縁部に面した開口を含み、
前記開放同軸構造の高さは、前記導体に対して、前記開放同軸構造の前記空洞の半径に等しいか、またはそれよりも大きい、開放同軸構造を含む、ＲＦ遷移アセンブリ。
【請求項２】
前記開放同軸構造の前記空洞は、円セグメントに対応する断面を有している、請求項１に記載のＲＦ遷移アセンブリ。
【請求項３】
前記開放同軸構造の前記空洞の断面は、１８０°より大きな角度を囲んでいる、請求項１に記載のＲＦ遷移アセンブリ。
【請求項４】
前記開放同軸構造の前記空洞の断面は、約１８０°から約３４０°の角度を囲んでいる、請求項１に記載のＲＦ遷移アセンブリ。
【請求項５】
前記開放同軸構造と前記ＲＦ伝送層の１つ以上の接地領域との間に１つ以上の接地相互接続をさらに含む、請求項１に記載のＲＦ遷移アセンブリ。
【請求項６】
前記開放同軸構造の少なくとも一部は、前記ＲＦ伝送層の平面内に延在している、請求項１に記載のＲＦ遷移アセンブリ。
【請求項７】
前記導体の端部は、前記導体に対して概して直角な方向に延在している前記開放同軸構造の一部によって、前記開放同軸構造の前記空洞内で囲まれている、請求項１に記載のＲＦ遷移アセンブリ。
【請求項８】
前記開放同軸構造は、前記ＲＦ伝送層の１つ以上の接地領域と同一平面にある、前記ＲＦ伝送層に隣接する１つ以上の階段状接地領域をさらに含み、
前記ＲＦ遷移アセンブリは、前記１つ以上の階段状接地領域と前記ＲＦ伝送層の前記１つ以上の接地領域との間の１つ以上の接地相互接続をさらに含む、請求項１に記載のＲＦ遷移アセンブリ。
【請求項９】
前記電子デバイスのためのパッケージであって、請求項１に記載のＲＦ遷移アセンブリを含む、パッケージ。
【請求項１０】
電子デバイスであって、
パッケージ本体と、
前記パッケージ本体の一面上に取り付けられた無線周波数（ＲＦ）基板と、
ＲＦ伝送層であって、前記ＲＦ基板が前記ＲＦ伝送層と前記パッケージ本体との間に層を形成するように、前記ＲＦ基板上に取り付けられたＲＦ伝送層と、
前記ＲＦ伝送層に電気的に接続された導体であって、前記ＲＦ伝送層に対して概して直角な方向に、前記パッケージ本体を通して延在している導体と、
前記ＲＦ伝送層の縁部に隣接した、前記パッケージ本体の前記一面上に置かれた開放同軸構造であって、
前記開放同軸構造は、前記導体を受け入れるためにそれを通して延在している空洞を含み、
前記空洞は、電磁放射を前記ＲＦ伝送層に向けるために前記ＲＦ伝送層の前記縁部に面する開口を含み、
前記開放同軸構造の高さは、前記導体に対して、前記空洞の半径に等しいか、またはそれよりも大きい、開放同軸構造と、を含む電子デバイス。
【請求項１１】
前記開放同軸構造の前記空洞の断面は、約２４０°の角度を囲んでいる、請求項１に記載のＲＦ遷移アセンブリ。
【請求項１２】
前記空洞は、円セグメントに対応する断面を有している、請求項１０に記載の電子デバイス。
【請求項１３】
前記空洞の断面は、１８０°より大きい角度を囲んでいる、請求項１０に記載の電子デバイス。
【請求項１４】
前記空洞の断面は、約１８０°から約３４０°の角度を囲んでいる、請求項１０に記載の電子デバイス。
【請求項１５】
前記開放同軸構造と前記ＲＦ伝送層の１つ以上の接地領域との間に１つ以上の接地相互接続をさらに含む、請求項１０に記載の電子デバイス。
【請求項１６】
前記開放同軸構造の少なくとも一部は、前記ＲＦ伝送層の平面内に延在している、請求項１０に記載の電子デバイス。
【請求項１７】
前記導体の端部は、前記導体に対して概して直角な方向に延在している前記開放同軸構造の一部によって、前記空洞内で囲まれている、請求項１０に記載の電子デバイス。
【請求項１８】
前記開放同軸構造は、前記ＲＦ伝送層の１つ以上の接地領域と同一平面にある、前記ＲＦ伝送層に隣接する１つ以上の階段状接地領域をさらに含み、
前記電子デバイスは、前記１つ以上の階段状接地領域と前記ＲＦ伝送層の前記１つ以上の接地領域との間の１つ以上の接地相互接続をさらに含む、請求項１０に記載の電子デバイス。
【請求項１９】
前記空洞の断面は、約２４０°の角度を囲んでいる、請求項１０に記載の電子デバイス。
【請求項２０】
前記開放同軸構造は、ギャップにより前記ＲＦ基板から分離される、請求項１０に記載の電子デバイス。